(57)【要約】【課題】開口部からの水分等の浸入をより確実に防止できる果実袋の提供を目的とする。【解決手段】果実袋１は、果実を収容する袋状本体２に形成された開口部４近傍の対向面に、開口部４を開閉自在に水封するチャック部材５を設け、袋状本体２内面のチャック部材５近傍位置に果実の枝を着脱自在に被う枝被い部６を設けた構成にしてある。また、果実を収容する袋状本体に形成された開口部４近傍の対向面に、開口部４を開閉自在に水封するチャック部材５を設け、チャック部材５の一部を欠損させて開口部４の対向面にチャック欠損部９を形成し、チャック欠損部９に果実の枝を着脱自在に被う枝被い部６を設けた構成にしてある。【選択図】図１
2009207468.tif 000002
【特許請求の範囲】
【請求項１】
果実を収容する袋状本体に形成された開口部近傍の対向面に、開口部を開閉自在に水封するチャック部材を設け、袋状本体内面、且つチャック部材近傍位置に果実の枝を着脱自在に被う枝被い部を設けたことを特徴とする果実袋。
【請求項２】
果実を収容する袋状本体に形成された開口部近傍の対向面に、開口部を開閉自在に水封するチャック部材を設け、チャック部材の一部を欠損させて開口部の対向面にチャック欠損部を形成し、チャック欠損部に果実の枝を着脱自在に被う枝被い部を設けたことを特徴とする果実袋。
【請求項３】
果実を収容する袋状本体に形成された開口部近傍の対向面に、開口部を開閉自在に水封するチャック部材を設け、袋状本体の側縁部に、開口部からチャック部材の下方位置まで袋状本体を構成する一対の胴部材が互いに離間した離間部を形成し、該離間部に果実の枝を被う枝被い部を設けたことを特徴とする果実袋。
【請求項４】
枝被い部が弾性部材で形成されていることを特徴とする請求項１乃至請求項３のいずれかに記載の果実袋。
【請求項５】
袋状本体が、アルミ蒸着フィルムにより形成されていることを特徴とする請求項１乃至請求項４のいずれかに記載の果実袋。
【請求項６】
チャック部材が、袋状本体の一方の内面に形成された凸条部材と、袋状本体の他方の内面に形成され、該凸条部材と係脱自在に嵌合する凹溝部材とからなり、二分割された枝被い部の一方が凸条部材と、他方が凹溝部材とそれぞれ一体に形成されていることを特徴とする請求項１乃至請求項５のいずれかに記載の果実袋。
【請求項７】
チャック部材が、袋状本体の一方の内面に形成された凸条部材と、袋状本体の他方の内面に形成され、該凸条部材と係脱自在に嵌合する凹溝部材とからなり、平面視Ｃ字状に形成された枝被い部の一端側が凸条部材と、他端側が凹溝部材とそれぞれ一体に形成されていることを特徴とする請求項１乃至請求項５のいずれかに記載の果実袋。
【請求項８】
チャック部材が、袋状本体の一方の内面に形成された凸条部材と、袋状本体の他方の内面に形成され、凸条部材と係脱自在に嵌合する凹溝部材とからなり、チャック部材の長手方向に摺動自在に移動して、凸条部材と凹溝部材を係脱自在に嵌合させる摺動部材を備えたこと特徴とする請求項１乃至請求項６のいずれかに記載の果実袋。
【請求項９】
袋状本体が、対向配置された一対の胴部材の両側縁部を接着して形成され、胴部材の下部には内側に折り返してなる底部材が挟み込まれて袋状本体の底部に襠部を形成していることを特徴とする請求項１乃至請求項８のいずれかに記載の果実袋。
【請求項１０】
底部材に水抜き穴が形成されていることを特徴とする請求項９に記載の果実袋。
【請求項１１】
底部材が通水性素材により構成されていることを特徴とする請求項９または請求項１０に記載の果実袋。
【請求項１２】
袋状本体の内面と果実との間に介設される断熱部材を備えていることを特徴とする請求項１乃至請求項１１のいずれかに記載の果実袋。
【請求項１３】
断熱部材の果実と接触する面が撥水性塗料の塗膜で被われていることを特徴とする請求項１２に記載の果実袋。
【請求項１４】
断熱部材がシート状に形成されていて、袋状本体内で果実を側方から被うように横方向に折り返されていることを特徴とする請求項１２または請求項１３に記載の果実袋。
【発明の詳細な説明】
【技術分野】
【０００１】
本発明は、果実袋に関するものである。
【背景技術】
【０００２】
従来、果実を鳥虫害、冷害などから保護する目的で果実袋が使用されている。このような果実袋は、一般に果実を収容する袋状本体に形成された開口部近傍に屈曲可能で形状保持機能を有する針金や合成樹脂等の封口部材を着設しており、使用時には袋状本体内に果実を収容した後、袋状本体の開口端部を収束し封口部材を捻って枝などに絡め封口するというものである（下記特許文献１参照）。
【０００３】
しかし、このような果実袋における封口作業を、樹上の果実一つ一つに対し行うには多大な労力を要する。また、前記果実袋は紙製であり、断熱のため三重構造となっているので、果実袋自体の単価が高く、果実袋を被せる果実の個数が多い場合には生産コストが高騰する。更に、このようなコストを抑えるため使用後の果実袋を廃棄することなく保管しておき、翌年再度使用するといった際には、紙製の袋状本体の皺や屈曲された封口部材を伸ばし形状を整え、複数の果実袋を重ね合わせて収納保管するといった作業を行っており、かかる保管時の作業にもおいても多大な労力を要するという問題があった。
【０００４】
これに対し、袋状本体を合成樹脂フィルム製とし、この袋状本体の一辺に設けた開口部に沿ってポリチャックを設けることで開口部を開閉可能にした果実袋が下記特許文献２に開示されており、これにより安価で、且つ装着作業の作業性を向上させることができる果実袋が提案されている。
【０００５】
【特許文献１】特開２０００−１８８９７５号公報
【特許文献２】特開２００４−５７１４２号公報
【発明の開示】
【発明が解決しようとする課題】
【０００６】
しかしながら、上記特許文献２に記載の果実袋はポリチャックに挟まれた果実の枝の隙間から、水分や害虫が浸入するという問題があった。
【０００７】
本発明は、上記した従来の問題点に鑑みてなされたものであって、開口部からの水分等の浸入をより確実に防止できる果実袋の提供を目的とする。
【課題を解決するための手段】
【０００８】
上記目的を達成するために、本発明に係る果実袋は、果実を収容する袋状本体に形成された開口部近傍の対向面に、開口部を開閉自在に水封するチャック部材を設け、袋状本体内面のチャック部材近傍位置に果実の枝を着脱自在に被う枝被い部を設けた構成にしてある。
【０００９】
また、果実を収容する袋状本体に形成された開口部近傍の対向面に、開口部を開閉自在に水封するチャック部材を設け、チャック部材の一部を欠損させて開口部の対向面にチャック欠損部を形成し、チャック欠損部に果実の枝を着脱自在に被う枝被い部を設けた構成にしてある。
【００１０】
そして、果実を収容する袋状本体に形成された開口部近傍の対向面に、開口部を開閉自在に水封するチャック部材を設け、袋状本体の側縁部に、開口部からチャック部材の下方位置まで袋状本体を構成する一対の胴部材が互いに離間した離間部を形成し、該離間部に果実の枝を被う枝被い部を設けた構成にしてある。
【００１１】
更に、前記構成において、枝被い部が弾性部材で形成されているものである。
【００１２】
更に、前記構成において、袋状本体が、アルミ蒸着フィルムにより形成されているものである。
【００１３】
更に、前記した各構成において、チャック部材が、袋状本体の一方の内面に形成された凸条部材と、袋状本体の他方の内面に形成され、該凸条部材と係脱自在に嵌合する凹溝部材とからなり、二分割された枝被い部の一方が凸条部材と、他方が凹溝部材とそれぞれ一体に形成されているものである。
【００１４】
更に、前記した各構成において、チャック部材が、袋状本体の一方の内面に形成された凸条部材と、袋状本体の他方の内面に形成され、該凸条部材と係脱自在に嵌合する凹溝部材とからなり、平面視Ｃ字状に形成された枝被い部の一端側が凸条部材と、他端側が凹溝部材とそれぞれ一体に形成されているものである。
【００１５】
更に、前記した各構成において、チャック部材が、袋状本体の一方の内面に形成された凸条部材と、袋状本体の他方の内面に形成され、凸条部材と係脱自在に嵌合する凹溝部材とからなり、チャック部材の長手方向に摺動自在に移動して、凸条部材と凹溝部材を係脱自在に嵌合させる摺動部材を備えたものである。
【００１６】
更に、前記した各構成において、袋状本体が、対向配置された一対の胴部材の両側縁部を接着して形成され、胴部材の下部には内側に折り返してなる底部材が挟み込まれて袋状本体の底部に襠部を形成しているものである。
【００１７】
更に、前記した構成において、底部材に水抜き穴が形成されているものである。
【００１８】
更に、前記した構成において、底部材が通水性素材により構成されているものである。
【００１９】
更に、前記した各構成において、袋状本体の内面と果実との間に介設される断熱部材を備えているものである。
【００２０】
更に、前記した構成において、断熱部材の果実と接触する面が撥水性塗料の塗膜で被われているものである。
【００２１】
更に、前記した各構成において、断熱部材がシート状に形成されていて、袋状本体内で果実を側方から被うように横方向に折り返されているものである。
【発明の効果】
【００２２】
本発明に係る果実袋によれば、果実を収容する袋状本体に形成された開口部近傍の対向面に、開口部を開閉自在に水封するチャック部材を設け、袋状本体内面のチャック部材近傍位置に果実の枝を着脱自在に被う枝被い部を設けたので、枝被い部が枝に密着して袋状本体内への水分の浸入をより確実に防止でき、害虫から果実を保護できる。
【００２３】
また、本発明に係る果実袋によれば、チャック部材を設けるとともにチャック部材の一部を欠損させて開口部の対向面にチャック欠損部を形成し、チャック欠損部において果実の枝を着脱自在に被う枝被い部を設けたので、同様に、枝被い部が枝に密着して袋状本体内への水分の浸入をより確実に防止でき、害虫から果実を保護できる。
【００２４】
また、果実を収容する袋状本体に形成された開口部近傍の対向面に、開口部を開閉自在に水封するチャック部材を設け、袋状本体の側縁部に、開口部からチャック部材の下方位置まで袋状本体を構成する一対の胴部材が互いに離間した離間部を形成し、該離間部に果実の枝を被う枝被い部を設けたので、同様に、袋状本体内への水分の浸入の防止、及び害虫からの果実の保護が可能であり、更に、チャック部材の一方の端部を接着しなくてすむので、容易に製造できる。
【００２５】
また、枝被い部が弾性部材で形成されている場合には、枝被い部が枝表面の凹凸や枝の湾曲などの形状に応じて柔軟に弾性変形し、枝被い部を枝に密着させることができ、袋状本体内への水分の浸入をより確実に防止できる。
【００２６】
そして、袋状本体が、アルミ蒸着フィルムにより形成されている場合には、アルミ蒸着フィルムは断熱性が高いので、果実を冷害から保護することができる。
【００２７】
更に、チャック部材が、凸条部材と、該凸条部材と係脱自在に嵌合する凹溝部材とからなり、二分割された枝被い部の一方が凸条部材と、他方が凹溝部材とそれぞれ一体に形成されている場合には製造が容易となる利点がある。
【００２８】
更に、チャック部材が、凸条部材と、該凸条部材と係脱自在に嵌合する凹溝部材とからなり、平面視Ｃ字状に形成された枝被い部の一端側が凸条部材と、他端側が凹溝部材とそれぞれ一体に形成されている場合には、チャック部材の嵌合及び開封作業がより容易となる。
【００２９】
更に、チャック部材が、袋状本体の一方の内面に形成された凸条部材と、袋状本体の他方の内面に形成され、凸条部材と係脱自在に嵌合する凹溝部材とからなり、チャック部材の長手方向に摺動自在に移動して、凸条部材と凹溝部材を係脱自在に嵌合させる摺動部材を備えた場合には、摺動部材を移動させるだけで非常に容易に凸条部材と凹溝部材を係合でき、果実袋の果実への装着作業負担を大幅に軽減できる。
【００３０】
更に、袋状本体が、対向配置された一対の胴部材の両側縁部を接着して形成され、胴部材の下部には内側に折り返してなる底部材が挟み込まれて袋状本体の底部に襠部を形成している場合には、果実袋を果実に装着した際に胴部材の対向面が離間して底部材が拡張するので、胴部材の面積を小さくしても比較的大きな果実を袋状本体内に収容可能となる。よって、作業時や長期保管時の果実袋の占有面積を小さくできる。
【００３１】
更に、底部材に水抜き穴が形成されている場合には、水抜き穴から水分を外部に排出することができる。
【００３２】
更に、底部材が通水性素材により構成されている場合には、底部材のいずれの場所からでも水分を外部に排出することができ、非常に効率のよい水分の排出が可能となる。
【００３３】
更に、袋状本体の内面と果実との間に介設される断熱部材を備えている場合には果実を冷害から効率よく保護することができる。
【００３４】
更に、断熱部材の果実と接触する面が撥水性塗料の塗膜で被われている場合には、果実表面に水分が付着するのを防止できる。
【００３５】
更に、断熱部材がシート状に形成されていて、袋状本体内で果実を側方から被うように横方向に折り返されている場合には、簡単な構造により安価に製造できる。
【発明を実施するための最良の形態】
【００３６】
本発明の最良の実施形態を図面に基づいて説明する。
【実施例１】
【００３７】
図１は本発明の一実施形態に係る果実袋の斜視図、図２（ａ）は前記果実袋を畳んだ状態の正面図、図２（ｂ）は図２（ａ）のＡ−Ａ線矢視断面図、図３，４は前記果実袋の使用態様図である。各図において、この実施形態に係る果実袋１は、果実を収容する袋状本体２を備え、この袋状本体２の上部に開口部４が形成されており、該開口部４近傍の対向面には、開口部４を開閉自在に水封するチャック部材５が設けられている。
【００３８】
袋状本体２は、対向配置された一対のシート状の胴部材１２の左右両側縁部を接着して形成され、胴部材１２の下部には内側に折り返された状態で前記胴部材１２の間に挟まれて胴部材１２の左右両側縁部に接着されるとともに、一対の胴部材１２の各下端部に前後縁がそれぞれ接着された底部材３（襠部１７）を備えている。これにより底部材３は胴部材１２の下部に舟底形のシールパターンで接着され、袋状本体２内に果実を収容した際に胴部材１２下部が離間して底部材３が拡開するようになっている。また、底部材３の略中央部には袋状本体２内に溜まった水を外部に排出する水抜き穴１１が形成されている。
【００３９】
袋状本体２の材質は、特に限定されないが、皺等の形成されにくい合成樹脂フィルムが好ましく、例えば、ポリエチレンおよびポリプロピレンなどのポリオレフィン、ナイロン、ポリアミド、ポリ塩化ビニル、ポリエチレンテレフタレートなどのポリエステル等が挙げられる。これらのうち、通気性を有し且つ透水性の低い点でポリプロピレン、ポリエチレンテレフタレートが好ましい。
【００４０】
チャック部材５は凸条部材７と凹溝部材８とからなり、凸条部材７が凹溝部材８に係脱自在に嵌合して開口部４を閉止する。チャック部材５の長手方向略中央部は欠損されており、これにより開口部４の対向面にチャック欠損部９が形成され、このチャック欠損部９に果実の枝を着脱自在に被う枝被い部６が設けられている。
【００４１】
枝被い部６は筒心方向の長さが例えば１ｃｍ〜５ｃｍといった所定長さを有する筒状の部材が筒心方向に二分割され、袋状本体２の対抗面であるチャック欠損部９に、一方が凸条部材７と、他方が凹溝部材８とそれぞれ一体に形成されている。枝被い部６が１ｃｍより短い場合には枝被い部６による袋状本体２内への水の浸入を防止する効果が低くなり、５ｃｍより長い場合には枝被い部６により果実の枝を被う作業がやや面倒となるとともに果実袋１が大きくなり畳んだ際に嵩張り保管場所としてより広い空間が必要となる。
【００４２】
枝被い部６の材質は特に限定されず、合成樹脂、天然樹脂など挙げられるが、天然ゴム 、合成ゴムあるいはこれらの混合体、シリコンゴム 、ブチルゴム、 あるいはこれらの発泡樹脂等の弾性部材を用いることが好ましい。これにより、枝表面の凹凸や枝の湾曲などの形状に応じて柔軟に弾性変形し、枝被い部６を枝に密着させることができ、袋状本体２内への水分の浸入をより確実に防止できる。
【００４３】
また、袋状本体２内には、袋状本体２の内面と果実との間に介設される断熱部材１０を備えている。図２に示すように、この断熱部材１０は、縦の長さａが、枝被い部６の下端部から底部材３の上端までの長さよりやや短くなっており、横幅の半分の長さｂが袋状本体２の横幅よりやや短い矩形のシート状に形成され、横方向に折り返された状態で袋状本体２内に収容されている。
【００４４】
断熱部材１０の材質は、不織布、発泡樹脂、編地、布地等が挙げられるが、断熱性が高い点で不織布が好ましい。また、袋状本体２が透明または半透明である場合に断熱部材１０が不透明の不織布等であれば、果実に直射日光が当たるのを防止でき、果実Ｆの温度が必要以上に上昇するのを抑制することができる。
【００４５】
断熱部材１０の果実と接触する面は撥水性塗料の塗膜で被われている。撥水性塗料としては、例えば、撥水剤として知られるパラフィンワックス系エマルジョン、フッ素系エマルジョン等の他、一般にシーラーとして使用されるアクリル系、メタクリル系、塩化ビニル系、ウレタン系、フッ素系、シリコンゴム系等の耐水性塗料をも含む。また、このような撥水性塗料の塗装方法は特に限定されず、刷毛、ローラー、スプレー、シャワー、カレンダーコート等の一般的な方法が適用できる。
【００４６】
ここで、果実袋を装着する果実は、特に限定されないが、清見やデコポン等の柑橘系果実、モモ、ブドウ、カキ、リンゴ、ナシ、ビワなどが挙げられる。
【００４７】
引続き、果実袋１の動作につき、以下に説明する。図３，４に示すように、果実袋１を果実に装着する際には、チャック部材５を開き、対面する断熱部材１０の間に果実Ｆを収容するようにして果実袋１を果実Ｆに被せ、凸条部材７を凹溝部材８に嵌合してチャック部材５を閉じ、枝被い部６によって果実の枝Ｓを被う。これにより、簡単且つ確実に果実Ｆに果実袋１を装着することができ、枝被い部６が枝Ｓに密着するので袋状本体２内への水分の浸入を防止でき、害虫から果実を保護できる。
【００４８】
果実Ｆに装着した果実袋１の袋状本体２内において、果実Ｆから蒸散した水や袋状本体２内面で結露した水分、或いは万が一開口部４から浸入した雨などが果実Ｆに付着することがある。この場合、果実Ｆを側方から被う断熱部材１０の果実Ｆと接触する面が撥水性塗料の塗膜で被われているので、果実Ｆに付着した水分は直ちに撥水性塗料の塗膜を下方に滑り落ちる。よって、果実Ｆに長時間に亘り付着した水分が果実表面で凍結し、そのために果実にシミを形成したり、この凍結部分から果実Ｆが腐ってしまうといったことを防止できる。
【００４９】
このように、果実Ｆに付着した水分は直ちに撥水性塗料の塗膜面を滑り落ちて袋状本体２の下部に溜まることとなるが、果実袋１を果実Ｆに被せた状態では、胴部材１２の対向面が離間して底部材３が拡張し、底部材３の中央が最も低い位置となるので、果実Ｆと底部材３との間の距離ｃが長くなり、袋状本体２の下部に溜まった水分が果実の下部に接触して付着するといったことがない。加えて、底部材３の中央部が底部材３の最も低い位置となるので、この中央部に形成された水抜き穴１１から重力に従って水分を外部に排出することができる。
【００５０】
また、図５は、図４にけるＢ−Ｂ線矢視断面図である。図５に示すように、果実袋１を果実Ｆに被せた際、断熱部材１０によって袋状本体２内で果実Ｆを側方から被うことで袋内を外気から断熱し果実Ｆを寒さから保護することができる。その際、横方向に折り返されたシート状の断熱部材１０の端部同士が図５においてｄで示す長さだけ離れてしまう場合があるが、果実Ｆから断熱部材１０の端部までの長さｅが、果実Ｆから断熱部材１０の対向面までの長さｇより長くなっており、果実Ｆと断熱部材１０の端部との間に大きな空間が形成されているので、断熱部材１０の端部同士が離れていても断熱性が損なわれるといったことがない。従って、シート状の断熱部材１０を折り返しただけの簡単な構造で高い断熱効果を確保でき、果実袋１の製造コストを抑えることが可能である。
【００５１】
また、カラス、ヒヨなどの鳥類が果実袋１の外側から果実Ｆをつつき果実Ｆを傷つけたり、また果実袋１を破ろうとする場合に、袋状本体２として紙より丈夫な合成樹脂フィルムを用いることで果実袋１を破れにくくすることができるとともに、袋状本体２内の断熱部材１０により果実を保護することができる。特に、断熱部材１０として不織布を用いた場合には所定の厚みと弾性を有するのでこのような鳥害をより効果的に防止できる。
【００５２】
使用後の果実袋１はチャック部材５を開くだけで果実Ｆから容易に外すことができる。袋状本体１が合成樹脂フィルムで形成されている場合には、安価に製造でき、使用後であっても皺が形成されることがないので、皺や針金を伸ばストいった作業を行うことなくそのまま保管することができる。また、底部材３がガセット形式で形成されているので、嵩張らず小さい保管場所に多くの果実袋１を保管可能である。
【実施例２】
【００５３】
図６は本発明の他の実施形態に係る果実袋の平面図であり、図７（ａ）は前記果実袋の部分拡大図である。図６において、実施例２に係る果実袋１ａは袋状本体２ａの左端にチャック欠損部９ａが形成され、このチャック欠損部９ａに枝被い部６ａが形成されている。枝被い部６ａは図７（ａ）に示すように平面視一部がやや鋭角に突出したＣ字状に形成され、枝被い部６ａの一端側が凸条部材７ａと、他端側が凹溝部材８ａとそれぞれ一体に形成されている。また、図６に示すように、袋状本体２ａの枝被い部６ａの形成位置の対角となる位置に水抜き穴１１ａが形成されている。
【００５４】
ここで、実施例２においては胴部材１２ａのみで袋状本体を構成し、ガゼット形式の底部材を形成しておらず、また、断熱部材の図示を省略した。そして、前記枝被い部６ａに替えて、図７（ｂ）に示すような平面視円形状の一部を切り欠いたＣ字状の枝被い部６ｂを用いてもよい。
【００５５】
本実施例２に係る果実袋１ａはチャック欠損部９ａが開口部の左端部に形成されているので、チャック部材が左右に離間して形成されている上記実施例１に比較してチャック部材の嵌合及び開封作業が容易となる。
【００５６】
また、図８に示すように、果実袋１ａを果実Ｆに装着すると袋状本体２ａは傾斜して水抜き穴１１ａの形成位置が袋状本体２ａの最も低い位置となる。この場合、袋状本体２ａの最下部と果実Ｆとの距離ｈが長くなるので、袋状本体２ａ下部に溜まった水分は果実Ｆに付着しずらくなる。また、この水抜き穴１１ａの形成位置に集まった袋状本体２ａ内の水分は、重力に従って水抜き穴１１ａから容易に外部に排出される。よって、実施例２に係る果実袋１ａは上記実施例１のようにガゼット形式の底部材を形成しなくても袋状本体２ａ下部に溜まった水分の果実Ｆへの付着を防止できるとともに袋状本体２ａ内の水分を抜くことができる。このように簡単な構造なので、安価に製造でき、保管時の嵩張りも少なくできる。
【実施例３】
【００５７】
図９は、本発明に係る果実袋の更に他の実施の形態を示す。図９において、チャック欠損部９ｂは、チャック部材５ｂの長手方向中央部において、凸条部材７ｂ及び凹溝部材８ｂを含む胴部材１２ｂに略矩形状の貫通穴を形成してなり、また、枝被い部６ｃはゴム管を筒心方向に切り欠いて別部材として形成され、使用時には果実の枝を被った枝被い部６ｃをチャック欠損部９ｂに係合して用いる。
【００５８】
尚、上記実施例１〜３では、チャック欠損部をチャック部材の中央または左端に形成したが、本発明の果実袋はそれに限定されるものでなく、チャック部材上の他の位置であってもよく、右端であってもよい。また、袋状本体の内面と果実との間に介設される断熱部材を備えたが、断熱部材を用いずに果実袋を使用してもよく、断熱部材の果実と接触する面は撥水性塗料の塗膜で被ったが、係る塗膜を形成しなくてもよい。また、断熱部材はシート状に形成されていて、袋状本体内で果実を側方から被うように横方向に折り返されていたが、断熱部材の形状は他の形状であってもよく、２枚以上のシート材を重ねて用いてもよい。
【実施例４】
【００５９】
図１０は、本発明に係る果実袋の更に他の実施の形態を示し、図１０（ａ）は前記果実袋１ｃを畳んだ状態の正面図、図１０（ｂ）は図１０（ａ）のＣ−Ｃ線矢視断面図である。本実施例４に係る果実袋１ｃの袋状本体２ｃを構成する胴部材１２ｃは、合成樹脂フィルムの表面にアルミニウムを蒸着した汎用のアルミ蒸着フィルム１４と、該アルミ蒸着フィルム１４の内面に接着剤などにより接着した不織布１５とからなる構造を有する。
【００６０】
アルミ蒸着フィルム１４は断熱性が高いので、胴部材１２ｃにアルミ蒸着フィルム１４を用いれば果実を冷害から保護することができ、そして、このようなアルミ蒸着フィルム１４の内面に不織布１５を接着し一体に構成することによって、断熱性を更に高めることができ、製造も容易となる。
【００６１】
また、このようなアルミ蒸着フィルム１４及び不織布１５からなる構造を有する胴部材１２ｃは不透明となるので、果実袋１ｃを装着した果実に直射日光が当たるのを防止でき、果実Ｆの温度が必要以上に上昇するのを抑制することができる。従って、上記実施例１のように遮光を目的として不透明の断熱部材を別途袋状本体２内に収容するといった手間を省くことができる。
【００６２】
そして、上記実施例１おいては、図２（ａ）に示すように、胴部材１２の左右下隅部と底部材３との接着縁部が円弧状とされていることにより舟底形のシールパターンに形成されたが、本実施例４に係る果実袋１ｃの底部材３ｃは、図１０（ａ）に破線ｉで示すように、折り返された略矩形状の底部材３ｃ下端縁と、胴部材１２ｃの下端縁とが所定幅で接着された構造を有する。
【００６３】
この底部材３ｃは通水性素材により構成されている。これにより、底部材３ｃに水抜き穴１１を形成しなくても、底部材３ｃのいずれの箇所からも袋状本体２ｃ内に溜まった水を外部に排出することができる。通水性素材としては、例えば、不織布、編地、布地等が挙げられるが、断熱性が高い点で不織布が好ましい。
【００６４】
更に、図１０（ａ）に示すように、果実袋１ｃにはチャック欠損部を設けることなく、袋状本体２ｃ内面、且つチャック部材５ｃ近傍位置となるチャック部材５ｃの左端部に果実の枝を着脱自在に被う枝被い部６ｃを設けている。図１０においては直方体状の枝被い部６ｃを胴部材１２ｃの凸条部材７ｃの形成された内面に接着した例を示しているが、枝被い部６ｃの形状は特に限定されず、直方体状、立方体状、球状、または不定形な形状であってもよい。これらのうち特に、成形が容易である点で略直方体状とすることが好ましい。
【００６５】
また、枝被い部６ｃの材質は、合成樹脂、天然樹脂など挙げられ、天然ゴム、合成ゴムあるいはこれらの混合体やこれらの発泡樹脂等といった弾性部材を用いることができ、特に、エチレンプロピレンゴム、エチレンゴム、ウレタンゴム、シリコンゴム、及びこれらの混合体の発泡樹脂等が好ましく用いられる。これらの中でも特にエチレンプロピレンゴムまたはエチレンゴムの発泡樹脂がより好ましい。
【００６６】
枝被い部６ｃに発泡樹脂を用いる場合には、発泡体中の気泡同士が繋がっている連続気泡の発泡樹脂ではなく気泡同士が繋がっていない独立気泡の発泡樹脂を用いることが好ましい。独立気泡の発泡樹脂を用いることにより、枝被い部６ｃ表面に付着した水分は該付着位置に留まり、枝被い部６ｃの内部に浸透しにくいので、袋状本体２ｃ内への水分の浸入を抑制することができる。
【００６７】
また、枝被い部６ｃに発泡樹脂を用いた場合には、該発泡樹脂は容易に変形するので、胴部材１２ｃの一方の内面に１個の枝被い部６ｃを設けただけであっても、果実の枝の外周を全周に亘って被うことが可能となる。尚、枝被い部６ｃは一対の胴部材１２ｃの双方の内面に１対の発泡樹脂がそれぞれ接着された構造であってもよい。
【００６８】
更に、果実袋１ｃは、チャック部材５ｃの長手方向に摺動自在に移動して、凸条部材７ｃと凹溝部材８ｃを係脱自在に嵌合させる摺動部材１３を備えている。この摺動部材１３をチャック部材５ｃの長手方向に摺動することで、容易に凸条部材７ｃを凹溝部材８ｃに係合することができ、果実袋１ｃの果実への装着作業負担を大幅に軽減できる。
【００６９】
また、果実袋１ｃを果実に装着した際に、摺動部材１３を、枝被い部６ｃを設けたチャック部材５ｃの左端部に押しつけることによって、チャック部材５ｃの左端部において凸条部材７ｃと凹溝部材８ｃとによって枝被い部６ｃを挟持すると、果実の枝を被っている枝被い部６ｃが弾性変形し、開口部４ｃを非常に小さくすることができる。これにより、開口部４ｃにおいて、果実の枝と枝被い部６ｃとの隙間や、枝被い部６ｃとチャック部材５ｃとの隙間から水分が浸入するのを防止することができる。
【００７０】
尚、実施例４に係る果実袋１ｃの袋状本体２ｃを構成する胴部材１２ｃは、合成樹脂フィルムの表面にアルミニウムを蒸着した汎用のアルミ蒸着フィルム１４と、該アルミ蒸着フィルム１４の内面に接着剤などにより接着した不織布１５とからなる構造を有したが、本発明の果実袋はこれに限定されず、アルミ蒸着フィルム及び不織布に替えて他のシート状部材を用いてもよく、アルミを蒸着していない合成樹脂フィルム等であってもよい。そして、フィルムの内面に不織布を接着しない構造としても構わない。
【実施例５】
【００７１】
図１１は、本発明に係る果実袋の更に他の実施の形態を示す。図１１に示す果実袋１ｄは、袋状本体２ｄの一方の側縁部に、開口部４ｄからチャック部材５ｄの下方位置まで袋状本体２ｄを構成する一対の胴部材１２ｄを互いに離間させた離間部１６が形成されている。離間部１６には、果実の枝を被う一対の枝被い部６ｄを設けており、一対の枝被い部６ｄは、略直方体状の合成樹脂発泡体がチャック部材５ｄの下方位置で一対の胴部材１２ｄに各々接着されてなり、この一対の枝被い部６ｄの間に果実の枝を挟み、チャック部材５ｄを封止することで、果実袋１ｄを果実に装着するようになっている。
【００７２】
果実袋１ｄは、チャック部材５ｄの左端部を接着しないので容易に製造可能であり、これにより、製造コストが低減できる。
【図面の簡単な説明】
【００７３】
【図１】本発明の一実施形態に係る果実袋の斜視図である。
【図２】前記果実袋を畳んだ状態の図である。
【図３】前記果実袋の使用態様図である。
【図４】前記果実袋の使用態様図である。
【図５】前記果実袋の使用態様図である。
【図６】本発明の他の実施形態に係る果実袋の平面図である。
【図７】前記果実袋の部分拡大図である。
【図８】前記果実袋の使用態様図である。
【図９】本発明に係る更に他の果実袋の平面図である。
【図１０】本発明に係る更に他の果実袋畳んだ状態の図である。
【図１１】本発明に係る更に他の果実袋の斜視図である。
【符号の説明】
【００７４】
１，１ａ，１ｂ，１ｃ，１ｄ  果実袋
２，２ａ，２ｂ，２ｃ，２ｄ  袋状本体
３，３ｃ    底部材
４，４ｄ    開口部
５，５ｂ，５ｃ，５ｄ    チャック部材
６，６ａ，６ｂ，６ｃ，６ｄ  枝被い部
７，７ａ，７ｂ，７ｃ，７ｄ  凸条部材
８，８ａ，８ｂ，８ｃ，８ｄ  凹溝部材
９    チャック欠損部
１０  断熱部材
１１，１１ａ  水抜き穴
１２，１２ａ，１２ｂ，１２ｃ，１２ｄ  胴部材
【図１】
2009207468.tif 000003
【図２】
2009207468.tif 000004
【図３】
2009207468.tif 000005
【図４】
2009207468.tif 000006
【図５】
2009207468.tif 000007
【図６】
2009207468.tif 000008
【図７】
2009207468.tif 000009
【図８】
2009207468.tif 000010
【図９】
2009207468.tif 000011
【図１０】
2009207468.tif 000012
【図１１】
2009207468.tif 000013